(57)【要約】【課題】文字板の位置決め精度を向上させることができる、ソーラーセル付電子時計を提供すること。【解決手段】ソーラーセル付電子時計１００は、光透過性又は光半透過性の部材１３を有する、文字板１と、文字板１の背面１２と対向するように配置されたソーラーセル２１を有する、ムーブメント２と、文字板１と、文字板１とソーラーセル２１とを位置決めするための位置決め構造７であって、文字板１及びムーブメント２のうちの一方から突出する突起７１と、文字板１及びムーブメント２のうちの他方に設けられ、突起７１を受け入れる凹部又は孔７２と、を有する、位置決め構造７と、文字板１の位置決め構造７に対応する位置に配置された光非透過性の目隠し部材Ｍと、を備え、ソーラーセルは、突起が貫通する孔部を有する。【選択図】図３
2019158466.tif 000002
【特許請求の範囲】
【請求項１】
光透過性又は光半透過性の部材を有する、文字板と、
前記文字板の背面と対向するように配置されたソーラーセルを有する、ムーブメントと、
前記文字板と前記ソーラーセルとを位置決めするための位置決め構造であって、前記文字板及び前記ムーブメントのうちの一方から突出する突起と、前記文字板及び前記ムーブメントのうちの他方に設けられ、前記突起を受け入れる凹部又は孔と、を有する、前記位置決め構造と、
前記文字板の前記位置決め構造に対応する位置に配置された、光非透過性の目隠し部材と、
を備え、
前記ソーラーセルは、前記突起が貫通する孔部を有することを特徴とするソーラーセル付電子時計。
【請求項２】
前記位置決め構造と前記光非透過性の目隠し部材を少なくとも２つ以上有することを特徴とする請求項１に記載のソーラーセル付電子時計。
【請求項３】
前記文字板と前記ソーラーセルとの間に隙間を設けるためのスペーサを有することを特徴とする請求項１又２に記載のソーラーセル付電子時計。
【請求項４】
前記スペーサが、前記ソーラーセルの周縁部に位置する非発電領域の少なくとも一部を覆う、請求項３に記載のソーラーセル付電子時計。
【請求項５】
前記スペーサが、前記ソーラーセルに固定される、請求項３又４に記載のソーラーセル付電子時計。
【請求項６】
前記スペーサが、前記文字板に固定される、請求項３又は４に記載のソーラーセル付電子時計。
【請求項７】
前記ソーラーセルが、分割線によって互いに離間された複数の発電領域を有しており、
前記突起は、複数あり、該複数の突起のうち、少なくとも一つの突起が、前記分割線上に配置される、請求項１〜６のいずれか一項に記載のソーラーセル付電子時計。
【請求項８】
前記突起は複数あり、該複数の突起のうち、少なくとも一つの突起が、１つの発電領域によって囲われる、請求項７に記載のソーラーセル付電子時計。
【請求項９】
前記目隠し部材の少なくとも一部が、時字である、請求項１〜８のいずれか一項に記載のソーラーセル付電子時計。
【請求項１０】
前記目隠し部材の少なくとも一部が、前記文字板に塗装された印刷である、請求項１〜９のいずれか一項に記載のソーラーセル付電子時計。
【請求項１１】
前記時字は、前記文字板に備えられ、前記突起は、前記時字から突出している、請求項９に記載のソーラーセル付電子時計。
【発明の詳細な説明】
【技術分野】
【０００１】
本願は、ソーラーセル付電子時計に関する。
【背景技術】
【０００２】
時計の文字板を位置決めするための様々な構造が知られている（例えば、特許文献１−２参照）。特許文献１には、文字板及びムーブメントを備える時計が開示されている。特許文献１では、文字板は、文字板及びムーブメントの一方に設けられた突起部と、文字板及びムーブメントの他方に設けられた溝部と、を係合させることによって、文字板とムーブメントを精度よく位置決されており、ムーブメントと文字板の中心が一致するため、ムーブメントによって駆動する指針と文字板に設けられた時字の位置精度が高い。
【０００３】
特許文献２には、文字板、及び、地板を有するムーブメントを備えるソーラーセル付電子時計が開示されており、ソーラーセルに光を照射するため、文字板は光透過性又は光半透過性のプラスチック製文字板が用いられ、文字板はソーラーセルとムーブメントを固定する円環形状の枠体に設けた突起と係合することによって、位置決めされている。
【先行技術文献】
【特許文献】
【０００４】
【特許文献１】実開昭６４−３０４８２号公報
【特許文献２】特開２０１１−１４９８８０号公報
【発明の概要】
【発明が解決しようとする課題】
【０００５】
しかしながら、特許文献１のように文字板及びムーブメントの一方に設けられた突起部と、文字板及びムーブメントの他方に設けられた溝部と、を係合させるにはソーラーセルを突起部よりも内側に配置しなくてはならないため、ソーラーセルの発電能力が低下する。
【０００６】
また、特許文献２のようなソーラーセル付電子時計はソーラーセルとムーブメントを固定し、外周に配置される固定部は文字板の位置を決定する突起を設ける必要があるため、径方向の幅が太く、装飾品の観点から隠す必要があるため、時計の文字板、針などを表示する表示面の直径（以降、見切り径と称す。）が小さくなる。
【０００７】
さらに、文字板はソーラーセルとムーブメントを固定する円環形状の枠体に設けた突起と係合することによってムーブメントに位置決めされているため、ムーブメントと円環形状の枠体に隙間が生じることによって、形状誤差により、ムーブメントと文字板の中心が一致しないため、指針と時字の位置精度が低い。
【０００８】
また、特許文献２のようなソーラーセル付電子時計の場合、外周部で文字板を位置決めすると、文字板の位置決めの切欠き部をケースで隠さなければならず、位置決めボス分太縁になってしまう。さらに、ソーラーセルと文字板は接触することによって文字板の色味が変化することから、円環形状の枠体に文字板を載せ、ソーラーセルとの隙間を確保しているが、文字板とムーブメントの位置精度が悪いために太縁にしていた。仮に文字板とムーブメントの位置精度が向上したとしても文字板の位置決めボスの強度上の関係から細縁にすることが難しいため、時計サイズが大きくなる課題があった。
【０００９】
本発明は、文字板の位置決め精度を向上させ、表示面積が大きく、指針と切分の位置精度が高く、発電能力が高いソーラーセル付電子時計を提供することを目的とする。
【課題を解決するための手段】
【００１０】
本開示の一態様は、光透過性又は光半透過性の部材を有する、文字板と、文字板の背面と対向するように配置されたソーラーセルを有する、ムーブメントと、文字板とソーラーセルとを位置決めするための位置決め構造であって、文字板及びムーブメントのうちの一方から突出する突起と、文字板及びムーブメントのうちの他方に設けられ、突起を受け入れる凹部又は孔と、を有する、位置決め構造と、文字板の位置決め構造に対応する位置に配置された、光非透過性の目隠し部材と、を備え、ソーラーセルは、突起が貫通する孔部を有するソーラーセル付電子時計である。
【発明の効果】
【００１１】
本発明によって文字板及びムーブメントの一方に設けられた突起がソーラーセルを貫通して、文字板及びムーブメントの他方に設けられた凹部又は孔に収納することよって、ソーラーセルを小型化することもないため、発電能力を低下することなく、文字板と、ソーラーセルを有するムーブメントとが、直接的に位置決めされるため、ムーブメントと文字板の中心が一致するため、指針と切分の位置精度が高く、ムーブメントと文字板の位置を決定する突起は光非透過性の目隠し部材によって隠す必要がないため、固定部が不要となり、見切り径が大きいソーラーセル付電子時計が提供できる。
【図面の簡単な説明】
【００１２】
【図１】ソーラーセル付電子時計を示す平面図である。
【図２】図１のソーラーセル付電子時計を示す断面図である。
【図３】図２のＸ部の詳細を示す拡大断面図である。
【図４】文字板を示す平面図である。
【図５】文字板の背面側に配置されたソーラーセルを文字板と共に示す透視平面図である。
【図６】ムーブメントを示す平面図である。
【図７】他の形態に係る目隠し部材を示す拡大断面図である。
【図８】さらに他の形態に係る目隠し部材を示す拡大断面図である。
【図９】他の形態に係る位置決め構造を示す拡大断面図である。
【図１０】さらに他の形態に係る位置決め構造を示す拡大断面図である。
【図１１】他の形態に係るソーラーセル付電子時計のムーブメントを示す平面図である。
【図１２】図１１のソーラーセル付電子時計で使用される目隠し部材を示す拡大断面図である。
【図１３】他の形態に係る目隠し部材を示す拡大断面図である。
【発明を実施するための形態】
【００１３】
以下、添付図面を参照して、実施形態に係るソーラーセル付電子時計を説明する。同様な又は対応する要素には同一の符号を付し、重複する説明は省略する。理解を容易にするために、図の縮尺は変更されている場合がある。
【００１４】
図１は、ソーラーセル付電子時計を示す平面図である。本開示に係るソーラーセル付電子時計１００は、ソーラーセル（太陽電池）で得られた発電電力を駆動源として利用する。ソーラーセル付電子時計１００は指針（時針Ｈ１、分針Ｈ２及び秒針Ｈ３）で時刻を表示する腕時計である。
【００１５】
図２は、図１のソーラーセル付電子時計を示す断面図である。ソーラーセル付電子時計１００は文字板１と、ムーブメント２と、ケース３と、ベゼル４と、風防５と、裏蓋６と、を備える。
【００１６】
説明の便宜上、文字板１において、指針と共に時刻を示す面（図２において上面）が表面１１、表面１１と反対側の面が背面１２と称し、表面１１上には時刻情報を表示する時針Ｈ１、分針Ｈ２及び秒針Ｈ３を設け、文字板１は、風防５が嵌め込まれたベゼル４と、ケース３に挿入されたムーブメント２との間に配置され、ベゼル４と裏蓋６をケース３に嵌め込むことによって文字板１、ムーブメント２の上下方向の位置が固定される。なお、外装構造やムーブメントの保持方法は一例である。
【００１７】
また、ベゼル４の見切り部４１は、文字板１の周縁部を覆い、風防５を通して文字板１を視認できる領域直径Ｚを見切り径と称す。
【００１８】
図４は、文字板を示す平面図である。本開示の文字板１は円形の平板であるが、楕円形又は多角形等の他の形状であってもよい。文字板１は表面１１で受光した光でソーラーセル２１（後述）が発電するため、光透過性又は光半透過性の部材１３を有する。本開示における用語「光透過性」及び「光半透過性」とは、ソーラーセル２１の発電に必要な波長の光が透過できることを意味しており、部材１３は、例えば、ポリカーボネート樹脂若しくはアクリル樹脂等の樹脂材、又は、ガラス材や複数の孔が空いた金属板を含む。文字板１は、表面１１上に複数の時字Ｍを有している。図２を参照して、時字Ｍは、例えば、文字板１に設けられた孔に挿入される足Ｌを有する部材である。時字Ｍは、光非透過性である。本開示における用語「光非透過性」とは、可視光が透過できないことを意味し、例えば、樹脂材又は金属材等の様々な材料を含むことができる。また、時字Ｍは、表面１１上に設けられた印刷であってもよい。
【００１９】
図３は、図２のＸ部の詳細を示す拡大断面図である。ムーブメント２は、ソーラーセル２１と、ソーラーセル受板２２と、地板２３と、耐磁板２４と、を有し、その他の様々な構成要素（例えば、モータ及び時計回路基板等）を有し、耐磁板２４の上に地板２３、ソーラーセル受板２２、ソーラーセル２１の順に配置されている。
【００２０】
また、本開示のソーラーセル２１はフィルムなどの薄い素材で形成されており、フック等の形状を有した金属などで形成されたソーラーセル受板２２に貼り付けることによってソーラーセル２１をムーブメントの断面方向に保持する。
【００２１】
耐磁板２４は時針Ｈ１、分針Ｈ２及び秒針Ｈ３を駆動するモータが外部からの磁界影響によって駆動できなくなることを軽減するために透磁性を有する。
【００２２】
ソーラーセル２１は、文字板１の背面１２と対向している。ソーラーセル２１と文字板１の背面１２との間には、スペーサＳを配置し、ソーラーセル２１が文字板１と接触し、文字板１にソーラーセル２１が写り込み、文字板１の美観を損なうことを防止するため、文字板１とソーラーセル２１との間に隙間Ｇをもたらす。スペーサＳは様々な材料（例えば、金属材又は樹脂材）で形成され、ソーラーセル２１に固定されている。
【００２３】
固定方法は例えば、スペーサＳは、接着などで貼り付けられてもよく、印刷等によって形成してもよい。
【００２４】
また、本開示において、スペーサＳはソーラーセル２１に固定されているが、文字板に固定しても良く、この場合、スペーサＳは成形によってソーラーセル２１又は文字板１に形成されてもよい。
【００２５】
更に文字板１とソーラーセル２１とを位置決めするための位置決め構造７を備えている。位置決め構造７は、文字板１の法線方向に見た場合に、見切り部４１の内側に配置され、ムーブメント２から突出する起７１と、文字板１に設けられた孔７２を有している。本開示では２つ以上の位置決め構造７を用いて説明を行っているが、位置決め構造７は２つ以上に限定されるものではなく、１つの位置決め構造７でも良い。具体的には１つの位置決め構造７と別の位置決め構造の組み合わせでも良く、突起７１の形状を本開示では概ね円柱状としているが角柱状等の他の形状にして１つの位置決め構造７で文字板１、ソーラーセル２１の位置決めを行っても良い。
【００２６】
突起７１はムーブメント内に設けた孔２５（ソーラーセル２１に設けた孔２５ａ、ソーラーセル受板２２に設けた孔２５ｂ、地板２３に設けた孔２５ｃ、耐磁板２４に設けた孔２５ｄ）を貫通して固定される。孔２５ｃは、突起７１と圧入嵌合により固定される。また、突起７１に設けたフランジ７３は突起７１のムーブメント２に対する傾斜精度向上、ムーブメント２からの脱落を防止するために設けられており、地板２３に係合する段部２６が設けられている。なお、フランジ７３は設けなくても構わない。
【００２７】
突起７１は、ソーラーセル２１の表面から突出しており、本開示では真鍮、鉄などの金属で形成しているが、孔２５ｃ、孔２５ｄを廃止して地板２３を成型する時に突起７１を設けても良い。
【００２８】
文字板１に設けた孔７２は、突起７１を取り外し可能に受け入れるように構成され、文字板１を貫通しており、突起７１が孔７２に係合することによって、ムーブメント２と文字板１が径方向に固定される。
【００２９】
また、位置決め構造７は、文字板１を貫通する孔７２を有しているが、孔７２の代わりに、文字板１の背面１２に設けられた凹部を有してもよい。この場合でも、凹部は、突起７１を取り外し可能に受け入れるように構成可能である。
【００３０】
図５は、文字板１の背面側に配置されたソーラーセルを文字板と共に示す透視平面図であり、図６は、ムーブメントを示す平面図である。図５，６を参照して、ソーラーセル２１は、文字板１に対応した形状（本実施形態では、円形の平板）を有し、分割線Ｄによって互いに離間された複数の発電領域２１ａ〜２１ｅを直列に接続することによってソーラーセル付電子時計に必要な電圧を出力できるようにしている。各発電領域２１ａ〜２１ｅは、様々な形状を有することができ、図５，６に示されるように、円周方向に均等に分割された扇形状を有する。ソーラーセル２１において、中心領域Ｃ、周縁部Ｅ及び分割線Ｄは非発電領域であり、各発電領域２１ａ〜２１ｅは非発電領域によって囲われている。
【００３１】
スペーサＳは、ソーラーセル２１の周縁部Ｅ上に配置されており、非発電領域の少なくとも一部を覆い、スペーサＳの径方向幅を確保しつつ、ソーラーセル２１の発電領域に照射される光量の減少を軽減している。また、スペーサＳは略円環状を有し、文字板１とソーラーセル２１との分解を容易にするため、切り欠きＮを有する。
【００３２】
図５、６に示されるように、本開示では、２つの突起７１と孔７２は、円周方向において１８０°互いに離間するように配置されている。このような構成によって、２つの突起７１の間の間隔がより長くなり、文字板１とソーラーセル２１、ムーブメント２との位置決め精度が向上する。
【００３３】
図６を参照して、本開示では、孔２５ａ（図６において左側の孔２５ａ）は、ソーラーセル２１において、隣接する発電領域２１ｄ，２１ｅの間の分割線Ｄ上に形成されており、対応する突起（第１の突起）７１は、分割線Ｄ上に配置されている。非発電領域が孔２５ａを囲っており、この部分では、非発電領域が分割線Ｄよりも広くなっている。
【００３４】
また、他方の孔２５ａ（図６において右側の孔２５ａ）は、ソーラーセル２１において、１つの発電領域２１ｂ内に形成されており、したがって、発電領域２１ｂ内の非発電領域が孔２５の周りに形成されている。
【００３５】
図５を参照して、文字板１は、文字板１の法線方向に見た場合に、表面１１において突起７１に対応する位置（位置決め構造７に対応する位置）に、上記の時字Ｍを有している。上記のように、時字Ｍは光非透過性であることから、時字Ｍは、位置決め構造７が文字板１を通して視認されることを妨げ、非発電領域が文字板１に写り込まないように美観を損なうことを防止している。また、時字Ｍは孔２５の周りの非発電領域よりも大きく形成されていることが好ましい。
【００３６】
図３を参照して、時字Ｍは２つの足Ｌを有し、文字板１に設けた孔に係合することによって時字Ｍの位置決めを行っている。また、時字Ｍは位置決め構造７の目隠し部材として２つの足Ｌの間で位置決め構造７を覆っている。しかしながら、目隠し部材は、様々な形態であることができる。
【００３７】
図７，８は、他の形態に係る目隠し部材を示す拡大断面図である。図７，８において、右側が文字板１の中心側である。図７では、位置決め構造７は、時字Ｍの２つの足Ｌよりも文字板１の周縁部により近く配置されているため、図３に比して２つ位置決め構造７の距離が長くなり、文字板１とソーラーセル２１、ムーブメント２との位置決め精度をより向上させることができる。
【００３８】
対照的に、図８では、位置決め構造７は、時字Ｍの２つの足Ｌよりも文字板１の中心により近く配置されており、中枠８は、例えば、ムーブメント２を囲う円環形状を有している。したがって、時字Ｍは、図３に比して、文字板１の周縁部により近く配置されている。この場合、時字Ｍが文字板１の周縁部により近く配置されているため、ソーラーセル２１、ソーラーセル受板２２、スペーサＳＰを径大化するのみで、同じ大きさのムーブメント２を使用すると共に中枠８を使用しながら、文字板１を比較的大きくすることができる。つまり、時字Ｍ、文字板１、ソーラーセル２１、ソーラーセル受板２２を変更することによってサイズの異なるソーラーセル付電子時計を提供することが可能となる。
【００３９】
また、図３を参照して、位置決め構造７では、突起７１は、ムーブメント２から突出しており、孔７２は、文字板１に設けられているが、位置決め構造は、他の形態であってもよい。
【００４０】
図９，１０は、他の形態に係る位置決め構造を示す拡大断面図である。図９，１０を参照して、位置決め構造９では、突起９１は、文字板１から突出しており、孔９２は、ムーブメント２に設けられている。具体的には、図９では、突起９１は、文字板１に備えた時字Ｍから突出しており、文字板１に設けられた孔を貫通して、背面１２からムーブメント２に向かって突出している。孔９２は、ソーラーセル２１、ソーラーセル受板２２、地板２３を貫通している。孔９２は、突起９１に対応する形状を有しており、突起９１が孔９２に係合することによって、ムーブメント２と文字板１が径方向に固定される。
【００４１】
図１０では、突起９１は、文字板１の背面１２と一体に形成されており、背面１２からムーブメント２に向かって突出している。孔９２は、図９と同様に、ソーラーセル２１、ソーラーセル受板２２、地板２３及び耐磁板２４を貫通しており、突起９１に対応する形状を有している。
【００４２】
以上のような本開示に係るソーラーセル付電子時計１００では、文字板１及びムーブメント２の一方に設けられた突起７１，９１と、文字板１及びムーブメント２の他方に設けられた孔７２，９２又は凹部と、によって、文字板１と、ソーラーセル２１を有するムーブメント２とが、直接的に位置決めされる。例えば、特許文献２のように円環形状の枠体に突起又は凹部若しくは孔が設けられる場合、文字板とムーブメントとが円環形状の枠体を介して位置決めされるため、円環形状の枠体とムーブメントとの間の隙間等によって文字板とソーラーセルとの間の位置決め精度が低下する可能性がある。したがって、ソーラーセル付電子時計１００では、例えば円環形状の枠体が介在する場合に比して、文字板１とソーラーセル２１とが高精度に位置決めされる。さらに、ソーラーセル付電子時計１００では、目隠し部材である時字Ｍによって、位置決め構造７が文字板１の表面１１から視認されることが妨げられる。したがって、デザインの低下無しに、文字板１とソーラーセル２１との間の位置決め精度を向上させることができる。
【００４３】
また、ソーラーセル付電子時計１００では、スペーサＳが、ソーラーセル２１の周縁部Ｅに位置する非発電領域の少なくとも一部を覆っている。この場合、非発電領域が有効に利用される。
【００４４】
また、突起７１，９１と、孔７２，９２によって、文字板１とソーラーセル２１とムーブメント２との位置決め精度が向上する。さらにスペーサＳと文字板１との外周部の位置精度も向上するため、スペーサＳの径方向の幅を狭くしてもスペーサＳが文字板１の外周部の重なりから外れることがなく、スペーサＳによって設けられた隙間Ｇが影響を受けることはない。
【００４５】
また、ソーラーセル付電子時計１００では、ソーラーセル２１が、分割線Ｄによって互いに離間された複数の発電領域２１ａ〜２１ｅを有しており、少なくとも２つの突起７１のうちの第１の突起７１が、分割線Ｄ上に配置されている。したがって、発電領域の減少を最小限にし得る。また、第１の突起７１が分割線Ｄ上に配置されることから、目隠し部材（本実施形態では、時字Ｍ）も分割線Ｄ上に位置することになり、したがって、分割線Ｄの少なくとも一部が時字Ｍによって隠されることによって文字板１の美観が改善される。
【００４６】
さらに、ソーラーセル２１の発電能力を損なわず、文字板１とソーラーセル２１間の隙間Ｇを確保するためには、スペーサＳの径方向の幅は、ソーラーセル２１の周縁部Ｅの径方向の幅と一致しているのが、最も好ましい。
【００４７】
また、ソーラーセル付電子時計１００では、突起７１のうちの第２の突起７１ｂが、１つの発電領域２１ｂによって囲われている。発電領域の分割数及び分割位置によっては、突起７１ｂを分割線Ｄ上に配置できないが、目隠し部材（本実施形態では、時字Ｍ）によって、第２の突起７１ｂ（及び対応する孔７２）が隠され、美観が改善される。
【００４８】
また、目隠し部材が、時字Ｍであるため、目隠し部材として新たな部品を追加する必要はない。なお、本開示では、目隠し部材の全てが時字Ｍであるが、目隠し部材の一部は、時字Ｍ以外の要素（例えば、模様又はマーク等を示す部材又は印刷等）であってもよい。
【００４９】
また、ソーラーセル付電子時計１００では、突起９１は、時字Ｍから突出していてもよい（図９参照）。時字Ｍには、足Ｌが設けられ得る。したがって、この場合、突起７１を足Ｌと同様にして容易に形成することができる。
【００５０】
また、ソーラーセル付電子時計１００では、位置決め構造７は、文字板１の法線方向に見た場合に、見切り部４１の内側に配置されているため、文字板とムーブメントとを位置決めするための切欠きが文字板の周縁部に設けられる場合に比して、見切り部４１の幅が小さくなり、時計のデザイン自由度が向上する。
【００５１】
次に、ソーラーセル付電子時計の他の形態について説明する。
【００５２】
図１１は、他の形態に係るソーラーセル付電子時計のムーブメントを示す平面図である。ソーラーセル付電子時計２００は、分割線Ｄ上に配置された更なる２つの突起７１ｃを有し、図６で図示したソーラーセル付電子時計１００のソーラーセル２１の発電領域２１ｂ内に形成されていた突起（第２の突起）７１ｂを廃止している。すなわち、ソーラーセル付電子時計２００は、合計で３つの突起７１を有する点で、ソーラーセル付電子時計１００と異なる。時字Ｍと発電領域２１ａ〜２１ｅとの間の位置関係によって、追加された２つの突起７１ｃ（図１１において右側の２つの突起）上には、時字Ｍは位置しない。したがって、ソーラーセル付電子時計２００では、時字Ｍ以外の要素である目隠し部材によって、追加された２つの突起７１ｃ（位置決め構造７）が隠されている。
【００５３】
ソーラーセル付電子時計２００は、追加された２つの突起７１によってソーラーセル付電子時計１００の発電領域２１ｂ内に形成されていた突起（第２の突起）７１の代わりに発電領域２１ｄ，２１ｅの間の分割線Ｄ上にある突起７１（図１１において左側の突起７１）と合わせることによって文字板１とソーラーセル２１、ムーブメント２との位置決め精度をソーラーセル付電子時計１００と同様の効果を奏することができる。
【００５４】
図１２は、図１１のソーラーセル付電子時計で使用される目隠し部材を示す拡大断面図である。図１２に示されるように、時字Ｍの下に位置しない位置決め構造７は、印刷Ｐによって隠されている。目隠し部材である印刷Ｐは、文字板１の表面１１上に設けられており、模様又はマーク等を示す。また、印刷Ｐの下に位置する位置決め構造７では、文字板１を貫通する孔の代わりに、凹部７４が文字板１の背面１２に設けられており、凹部７４が突起７１ｃを受け入れている。
【００５５】
図１３は、他の形態に係る目隠し部材を示す拡大断面図である。図１３に示されるように、文字板１は、２つの部材１３，１４を有していてもよい。部材１４は、時字Ｍの下に位置しない位置決め構造７に対応する位置に、図１２の印刷Ｐと同様な印刷Ｐを有している。また、部材１３は、部材１３を貫通する孔７２を有しており、部材１４は、このような孔を有していない。したがって、孔７２は、文字板１全体では、凹部として見ることが可能である。図１３では、孔７２が、図１２の凹部７４よりも深いので、突起７１ｃと孔７２との係合距離がより長い。したがって、突起７１ｃと孔７２とがより確実に係合する。
【００５６】
図１２，１３に示される以上のようなソーラーセル付電子時計２００は、上記のソーラーセル付電子時計１００と略同様な効果を奏し得る。特に、ソーラーセル付電子時計２００では、目隠し部材の一部が、文字板に塗装された印刷Ｐである。この場合でも、印刷Ｐによって、位置決め構造７が隠される。したがって、美観が損なわれない。
【００５７】
ソーラーセル付電子時計の実施形態について説明したが、本発明は上記の実施形態に限定されない。当業者であれば、上記の実施形態の様々な変形が可能である。
【００５８】
また、当業者であれば、１つの実施形態に含まれる特徴は、矛盾が生じない限り、他の実施形態に組み込むことができる、又は、他の実施形態に含まれる特徴と交換可能である。
【符号の説明】
【００５９】
１・・・文字板、２・・・ムーブメント、７，９・・・位置決め構造、１１・・・文字板の表面、１２・・・文字板の背面、１３、１４・・・部材、２１・・・ソーラーセル、２１ａ〜２１ｅ・・・発電領域、７１，９１・・・突起、７２，９２・・・孔、７４・・・凹部、１００，２００・・・ソーラーセル付電子時計、Ｄ・・・分割線、Ｅ・・・ソーラーセルの周縁部、Ｇ・・・隙間、Ｍ・・・時字、Ｓ・・・スペーサ、Ｐ・・・印刷。
【図１】
2019158466.tif 000003
【図２】
2019158466.tif 000004
【図３】
2019158466.tif 000005
【図４】
2019158466.tif 000006
【図５】
2019158466.tif 000007
【図６】
2019158466.tif 000008
【図７】
2019158466.tif 000009
【図８】
2019158466.tif 000010
【図９】
2019158466.tif 000011
【図１０】
2019158466.tif 000012
【図１１】
2019158466.tif 000013
【図１２】
2019158466.tif 000014
【図１３】
2019158466.tif 000015